(57)【要約】【課題】連写された一連の静止画ファイル又は動画ファイルを一括して編集することにより、画像中の特定箇所の変化過程を確認するのに便宜な画像編集装置を提供する。【解決手段】再生中の動画を一時停止させ、所定のフレーム画像を表示させる手段と、表示されたフレーム画像中に画される任意の矩形内の画像を切り取る手段と、表示されたフレーム画像の前及び／又は後の所定数のフレーム画像中の同一矩形内の画像を切り取る手段と、表示されたフレーム画像及び前記表示されたフレーム画像の前及び／又は後の所定数のフレーム画像より切り取られた画像を同時にインデックス表示させる手段と、を備える。【選択図】　　　　　図３
2004080613.tif 000002
【特許請求の範囲】
【請求項１】
再生中の動画を一時停止させ、所定のフレーム画像を表示させる手段と、
前記表示されたフレーム画像中に画される任意の矩形内の画像を切り取る手段と、
前記表示されたフレーム画像の前及び／又は後の所定数のフレーム画像中の同一矩形内の画像を切り取る手段と、
前記表示されたフレーム画像及び前記表示されたフレーム画像の前及び／又は後の所定数のフレーム画像より切り取られた画像を同時にインデックス表示させる手段と、
を備えたことを特徴とする画像編集装置。
【請求項２】
再生中の動画を一時停止させ、所定のフレーム画像を表示させる手段と、
前記表示されたフレーム画像中に画される任意の矩形内の画像を切り取る手段と、
前記表示されたフレーム画像の前及び／又は後の所定数のフレーム画像中の同一矩形内の画像を切り取る手段と、
前記表示されたフレーム画像及び前記表示されたフレーム画像の前及び／又は後の所定数のフレーム画像より切り取られた画像を保存させる手段と、
を備えたことを特徴とする画像編集装置。
【請求項３】
前記所定のフレーム画像を表示させる手段では、複数の画像を同時にインデックス表示させる請求項１又は２のいずれか１項に記載の画像編集装置。
【請求項４】
前記表示されたフレーム画像及び前記表示されたフレーム画像の前及び／又は後の所定数のフレーム画像より切り取られた画像を同時にインデックス表示させる手段又は保存させる手段では、前記切り取られた画像のサイズに応じた配置がなされる請求項１、２又は３のいずれか１項に記載の画像編集装置。
【請求項５】
前記表示されたフレーム画像及び前記表示されたフレーム画像の前及び／又は後の所定数のフレーム画像より切り取られた画像を同時にインデックス表示させる手段又は保存させる手段では、前記切り取られた画像がリサイズされ、該リサイズに応じた配置がなされる請求項１、２又は３のいずれか１項に記載の画像編集装置。
【請求項６】
連続的に撮影された一連の静止画ファイルのうち、所定の静止画像を表示させる手段と、
前記表示された静止画像中に画される任意の矩形内の画像を切り取る手段と、前記表示された静止画像の前及び／又は後の所定数の静止画像中の同一矩形内の画像を切り取る手段と、
前記表示された静止画像及び前記表示された静止画像の前及び／又は後の所定数の静止画像より切り取られた画像を同時にインデックス表示させる手段と、
を備えたことを特徴とする画像編集装置。
【請求項７】
連続的に撮影された一連の静止画ファイルのうち、所定の静止画像を表示させる手段と、
前記表示された静止画像中に画される任意の矩形内の画像を切り取る手段と、前記表示された静止画像の前及び／又は後の所定数の静止画像中の同一矩形内の画像を切り取る手段と、
前記表示された静止画像及び前記表示された静止画像の前及び／又は後の所定数の静止画像より切り取られた画像を保存させる手段と、
を備えたことを特徴とする画像編集装置。
【請求項８】
前記所定の静止画像を表示させる手段では、複数の画像を同時にインデックス表示させる請求項６又は７のいずれか１項に記載の画像編集装置。
【請求項９】
前記表示された静止画像及び前記表示された静止画像の前及び／又は後の所定数の静止画像より切り取られた画像を同時にインデックス表示させる手段又は保存させる手段では、前記切り取られた画像のサイズに応じた配置がなされる請求項６、７又は８のいずれか１項に記載の画像編集装置。
【請求項１０】
前記表示された静止画像及び前記表示された静止画像の前及び／又は後の所定数の静止画像より切り取られた画像を同時にインデックス表示させる手段又は保存させる手段では、前記切り取られた画像がリサイズされ、該リサイズに応じた配置がなされる請求項６、７又は８のいずれか１項に記載の画像編集装置。
【発明の詳細な説明】
【０００１】
【発明の属する技術分野】本発明は画像編集装置に係り、特にデジタルカメラの連写機能によって撮影された連続する一連の静止画よりなる静止画ファイル又は動画ファイルを一括して編集することにより、画像中の特定箇所の変化過程を確認するのに便宜な画像編集装置に関する。
【０００２】
【従来の技術】
近年、デジタルカメラが普及してきた。これらのデジタルカメラには、通常の単写機能の他に動画撮影機能や連写機能を有するものもある。
【０００３】
デジタルカメラで撮影された静止画は、ＪＰＥＧ（Ｊｏｉｎｔ　Ｐｈｏｔｏｇｒａｐｈｉｃ　Ｅｘｐｅｒｔｓ　Ｇｒｏｕｐ）などの圧縮・伸張方式による静止画ファイルとしてデジタルカメラ付属の記録メディアに記録され、デジタルカメラで撮影された動画は、Ｍｏｔｉｏｎ　ＪＰＥＧ　などの動画ファイルとしてデジタルカメラ付属の記録メディアに記録され、その記録メディアは保存用・鑑賞用として使用されている。なお、Ｍｏｔｉｏｎ　ＪＰＥＧ　は、各フレーム画像をＪＰＥＧ方式で圧縮し、一連の画像群として記録する方法であり、再生時は各フレームが連続的に再生される。
【０００４】
また、デジタルカメラの連写機能によって撮影された一連の静止画は、１枚ずつ静止画ファイルとしてデジタルカメラ付属の記録メディアに記録される。
【０００５】
ところで、撮影された動画又は連写された一連の静止画を再生してゴルフ、テニス等におけるフォームをチェックする要求も多くなっている。たとえば、ゴルフのスイング動作において、頭の振れの有無をチェックしたり、野球の投球動作において、軸足の傾きの度合いをチェックしたりし、フォームの良否を判定することは多い。
【０００６】
この場合に、単に撮影された動画又は連写された一連の静止画を見たり、動画の所定数のフレーム画像をインデックス表示させたり、所定数の静止画像をインデックス表示させたりした場合、プレイヤー以外の背景が表示されて見難かったり、全体画面中に占めるプレイヤーの割合が小さかったりして、フォームの良否を判定するのが難しく、デジタルカメラの機能が有効に発揮できない。
【０００７】
一方、従来技術ではこのような要求に対し充分には応じきれていない。たとえば、撮影時に振れて記録された画像が再生時に振れが生じないようにできる技術が提案されている（特許文献１参照。）。また、複数の原稿を編集する際に、任意の１枚に対して色変換編集した結果を記憶し、他の原稿に対しても同様の編集を自動で行なう技術が提案されている（特許文献２参照。）。
【０００８】
【特許文献１】
特開平１１−１８７３０３号公報
【０００９】
【特許文献２】
特開平１０−２１０２６９号公報
【００１０】
【発明が解決しようとする課題】
しかしながら、これらの従来技術を使用しても、上記の課題の解決は困難であった。
【００１１】
本発明はこのような事情に鑑みてなされたもので、連写された一連の静止画ファイル又は動画ファイルを一括して編集することにより、画像中の特定箇所の変化過程を確認するのに便宜な画像編集装置を提供することを目的とする。
【００１２】
【課題を解決するための手段】
前記目的を達成するために、請求項１に係る発明は、再生中の動画を一時停止させ、所定のフレーム画像を表示させる手段と、前記表示されたフレーム画像中に画される任意の矩形内の画像を切り取る手段と、前記表示されたフレーム画像の前及び／又は後の所定数のフレーム画像中の同一矩形内の画像を切り取る手段と、前記表示されたフレーム画像及び前記表示されたフレーム画像の前及び／又は後の所定数のフレーム画像より切り取られた画像を同時にインデックス表示させる手段と、を備えたことを特徴とする画像編集装置を提供する。
【００１３】
また、請求項２に係る発明は、再生中の動画を一時停止させ、所定のフレーム画像を表示させる手段と、前記表示されたフレーム画像中に画される任意の矩形内の画像を切り取る手段と、前記表示されたフレーム画像の前及び／又は後の所定数のフレーム画像中の同一矩形内の画像を切り取る手段と、前記表示されたフレーム画像及び前記表示されたフレーム画像の前及び／又は後の所定数のフレーム画像より切り取られた画像を保存させる手段と、を備えたことを特徴とする画像編集装置を提供する。
【００１４】
本発明によれば、一時停止させた動画像中の任意の矩形内の画像を切り取るととともに、このフレーム画像の前及び／又は後の所定数のフレーム画像中の同一矩形内の画像を切り取り、切り取られた画像を同時にインデックス表示させたり、保存させたりできる。これにより、画像中の特定箇所の変化過程を確認するのが極めて容易になる。
【００１５】
請求項６に係る発明は、連続的に撮影された一連の静止画ファイルのうち、所定の静止画像を表示させる手段と、前記表示された静止画像中に画される任意の矩形内の画像を切り取る手段と、前記表示された静止画像の前及び／又は後の所定数の静止画像中の同一矩形内の画像を切り取る手段と、前記表示された静止画像及び前記表示された静止画像の前及び／又は後の所定数の静止画像より切り取られた画像を同時にインデックス表示させる手段と、を備えたことを特徴とする画像編集装置を提供する。
【００１６】
また、請求項７に係る発明は、連続的に撮影された一連の静止画ファイルのうち、所定の静止画像を表示させる手段と、前記表示された静止画像中に画される任意の矩形内の画像を切り取る手段と、前記表示された静止画像の前及び／又は後の所定数の静止画像中の同一矩形内の画像を切り取る手段と、前記表示された静止画像及び前記表示された静止画像の前及び／又は後の所定数の静止画像より切り取られた画像を保存させる手段と、を備えたことを特徴とする画像編集装置を提供する。
【００１７】
本発明によれば、所定の静止画像中の任意の矩形内の画像を切り取るととともに、このフレーム画像の前及び／又は後の所定数の静止画像中の同一矩形内の画像を切り取り、切り取られた画像を同時にインデックス表示させたり、保存させたりできる。これにより、画像中の特定箇所の変化過程を確認するのが極めて容易になる。
【００１８】
本発明において、前記所定のフレーム画像又は静止画像を表示させる手段では、複数の画像を同時にインデックス表示させることが好ましい。１枚のみの所定のフレーム画像又は静止画像を表示させることでも、切り取るべき矩形部分の指定は可能であるが、画像内におけるプレイヤーの移動がある場合等には、複数の画像を同時にインデックス表示させることにより、切り取るべき矩形部分の指定がより適切に行なえる。
【００１９】
また、本発明において、前記表示されたフレーム画像及び前記表示されたフレーム画像の前及び／又は後の所定数のフレーム画像より切り取られた画像を同時にインデックス表示させる手段又は保存させる手段、又は、前記表示された静止画像及び前記表示された静止画像の前及び／又は後の所定数の静止画像より切り取られた画像を同時にインデックス表示させる手段又は保存させる手段では、前記切り取られた画像のサイズに応じた配置がなされることが好ましい。
【００２０】
切り取られた画像を同時にインデックス表示させたりする場合には、画面の面積全体を有効に利用できない場合が多いが、この場合であっても、切り取られた画像のサイズに応じた配置がなされれば、画像の見易さが向上し、画像中の特定箇所の変化過程を確認するのが極めて容易になる。
【００２１】
また、本発明において、前記表示されたフレーム画像及び前記表示されたフレーム画像の前及び／又は後の所定数のフレーム画像より切り取られた画像を同時にインデックス表示させる手段又は保存させる手段、又は、前記表示された静止画像及び前記表示された静止画像の前及び／又は後の所定数の静止画像より切り取られた画像を同時にインデックス表示させる手段又は保存させる手段では、前記切り取られた画像がリサイズされ、該リサイズに応じた配置がなされることが好ましい。
【００２２】
切り取られた画像を同時にインデックス表示させたりする場合には、画面の面積全体を有効に利用できない場合が多いが、この場合であっても、切り取られた画像がリサイズされ、該リサイズに応じた配置がなされれば、沢山の画像を表示することができ、また、画像を拡大等して表示することができ、画像の見易さが向上し、画像中の特定箇所の変化過程を確認するのが極めて容易になる。
【００２３】
【発明の実施の形態】
以下、添付図面に従って本発明に係る画像編集装置の好ましい実施の形態について詳説する。図１は本発明に係る画像編集装置としての機能を備えたパソコン（パーソナルコンピュータ）のハードウェア構成例を示すブロック図である。
【００２４】
図１に示されるように、パソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、画像編集処理のプログラムを含む各種のアプリケーションソフト、ユーザの画像等が格納されるハードディスク装置１４と、ＤＶＤ−Ｒ／ＲＷ装置であるＣＤ−ＲＯＭドライブ１６と、表示用データを一時記憶する表示メモリ１８と、この表示メモリ１８からの画像データ、文字データ等により画像や文字等を表示するＣＲＴモニタや液晶モニタ等のモニタ装置２０と、キーボード２２と、位置入力装置としてのマウス２４と、マウス２４の状態を検出してモニタ装置２０上のマウスポインタの位置やマウス２４の状態等の信号をＣＰＵ１０に出力するマウスコントローラ２６と、デジタルカメラ２と接続して画像データ等の入力が可能なＵＳＢ（Ｕｎｉｖｅｒｓａｌ　Ｓｅｒｉａｌ　Ｂｕｓ）などのインターフェース２７と、上記各構成要素を接続するバス２８とから構成されている。
【００２５】
なお、上記構成のパソコン１及びデジタルカメラ２は、周知のものであるため、各構成要素の詳細な説明については省略する。
【００２６】
次に、インターフェース２７を介して接続されているデジタルカメラ２のメモリカード、又はパソコン１のハードディスク装置１４に格納されている複数の静止画ファイル又は動画ファイルから画像を表示し、その画像中の任意の矩形内の画像を切り取るとともに、この画像の前及び／又は後の所定数の画像中の同一箇所の同一矩形内の画像を切り取り、モニタ装置２０にインデックス表示させる場合、又は、ＤＶＤ−ＲＡＭやＣＤ−Ｒなどの記録メディアに書き込む場合の実施の形態について説明する。
【００２７】
図２は、本発明に係る画像編集装置におけるモニタ装置２０の操作画面（インデックス表示されたフレーム画像又は静止画像）を示す図であり、図３は、同じく操作画面（切り取られた画像のサイズに応じて配置、インデックス表示された）を示す図であり、図４は、動画ファイル編集の処理手順を説明するフローチャートであり、図５は、静止画ファイル編集の処理手順を説明するフローチャートである。
【００２８】
先ず、動画に対する処理について説明する。パソコン１を起動し、動画表示のプログラムを実行させ、編集を行なう動画ファイルを選択する（ステップＳ１０）。そして、選択した動画ファイルをパソコン１のモニタ装置２０に再生表示させる（ステップＳ１２）。
【００２９】
再生表示の際に、一時停止させ、基準となるフレーム画像を表示させる（ステップＳ１４）。この際、最適なフレーム画像を選択できるように、再生表示をスローモードで行なわせてもよい。そして、基準となるフレーム画像の前及び／又は後の所定数のフレーム画像を指定してインデックス表示させる（ステップＳ１６）。図２は、この状態の画像であり、基準となるフレーム画像Ｇ０及びこの後のフレーム画像Ｇ１〜Ｇ１１までの計１２枚のフレーム画像が３行×４列の配置で表示されている。すなわち、時系列的にＧ０〜Ｇ１１までが横書き（文章の）の順列で表示されている。
【００３０】
このインデックス表示の状態は、自動的に、又はキーボード等の操作により設定される。この際に、図示しない設定画面にインデックス表示の内容が質問形式で表示され、設定値の入力を促すようにしてもよい。入力すべき設定値としては、フレーム画像の数（図示のものは、１２画像）、配置（図示のものは、３行、５列）、フレーム画像の抜き取り頻度（たとえば、動画ファイル中の３コマおきに抽出）、及び、基準となるフレーム画像Ｇ０の前及び／又は後のフレーム画像数（図示のものは、基準となるフレーム画像Ｇ０の後１１画像分）である。
【００３１】
次に、図２に示される操作画面５０中のフレーム画像Ｇ０内の切り取り部分の矩形Ｗを画する（書き込む）（ステップＳ１８）。この際、操作者が決定するのは、矩形Ｗの位置及び縦横のサイズである。矩形Ｗの書き込みは、パソコン１のマウス２４を操作することにより画像Ｇ０上で操作するのが一般的である。すなわち、矩形Ｗの一つのコーナーとなる位置にポインタを置き、マウスでドラッグ操作を行なうことにより矩形Ｗが書き込める。
【００３２】
画像Ｇ０上に書き込んだ矩形Ｗが良好な場合には、図示しないスイッチ又はツールバー等をマウス２４で操作し他のフレーム画像Ｇ１〜Ｇ１１の同一位置に矩形Ｗを表示させる（ステップＳ２０）。この場合、基準となるフレーム画像Ｇ０では矩形Ｗが良好に画されていても、他のフレーム画像Ｇ１〜Ｇ１１のいずれかでは不適当となる場合がある。たとえば、画像内におけるプレイヤーの移動がある場合等である。
【００３３】
したがって、矩形Ｗの適否が問われ（ステップＳ２２）、良好（ＹＥＳ）な場合には次のステップに進むが、不適切（ＮＯ）な場合にはステップＳ１８に戻される。
【００３４】
次に、矩形Ｗの書き込み終了後に自動的に、又はキーボード等の操作により図３に示されるインデックス表示の操作画面７０がモニタ装置２０に表示される（ステップＳ２４）。この際に、図示しない設定画面にインデックス表示の内容が質問形式で表示され、設定値の入力を促すようにしてもよい。入力すべき設定値としては、フレーム画像の数（図示のものは、１８画像）、配置（図示のものは、３行、６列）、フレーム画像の抜き取り頻度（たとえば、動画ファイル中の２コマおきに抽出）、フレーム画像のリサイズ倍率（図示のものは、図２のフレーム画像の１．１７倍）、及び、図２のフレーム画像の前及び／又は後のフレーム画像数（図示のものは、図２のフレーム画像の後１７画像分）である。
【００３５】
この場合、フレーム画像のリサイズ倍率とフレーム画像の数、配置との設定が不適切であった場合、一部のフレーム画像が部分的にカットされたり、余白が多くなりすぎたりする不具合も生じ得る。
【００３６】
このような問題に対処すべく、予め切り取られた画像をインデックス表示させる際のアルゴリズムを決めておくこともできる。たとえば、フレーム画像の数を優先させるアルゴリズムの場合には、矩形Ｗのサイズに応じて先ず最適な行列数が決まり、その後、この範囲で最も余白が少なくなるようなフレーム画像のリサイズ倍率を決定すればよい。
【００３７】
このアルゴリズムは、ユーザーの要求に合わせて任意に設計し得るが、本発明の目的よりすれば、なるべく沢山の画像を、なるべく拡大して表示できることが好ましい。
【００３８】
上記の趣旨よりすれば、一般的には図２におけるフレーム画像の数より図３におけるフレーム画像の数が増加することになる。本実施の態様では１２画像（Ｇ０〜Ｇ１１）から１８画像（ｇ０〜ｇ１７）に増加している。したがって、増加する画像（図３では６画像分）をどこから補充するかを決定する必要がある。
【００３９】
たとえば、図２と図３とで動画ファイルからの抽出率（たとえば、３コマおきに抽出）を同一とし、増加する画像を図２のフレーム画像の前又は後から抽出する方法が採用できる。
【００４０】
一方、ゴルフのスイング動作のように、一連の動作の前後の動作が増加して表示されても利用価値の低い場合には、図２と図３とで動画ファイルからの抽出率を変化させ（たとえば、図２では３コマおきに抽出、図３では２コマおきに抽出）、両図において最初のコマと最後のコマの画像が略同一になるように抽出する方法が採用できる。
【００４１】
図３においては、後者の方法が採用されており、左上のフレーム画像ｇ０は、図２のフレーム画像Ｇ０の矩形Ｗの画像と同一のものであり、縮小率（拡大率）のみ相違している。そして、右下の画像ｇ１７は、図２のフレーム画像Ｇ１１の矩形Ｗの画像と略同一のものである。
【００４２】
このように表示された図３に示されるインデックス表示を見ることにより、ゴルフのスイング動作の一連の動きの変化が容易に理解でき、スイング動作の矯正が容易となる。
【００４３】
なお、既述のように、図３のインデックス表示は例示であり、これ以外の設定画面とすることは用途に応じて任意に選択し得る。本例では、ゴルフのスイング動作の開始から終了までが１８画面に分割されて時系列的に表示されている。これ以外の一例では、たとえば、野球の投球動作のフォームをチェックする用途が挙げられる。
【００４４】
以上、インデックス表示（ステップＳ２４）について説明したが、この後にプリント（ハードコピー）が必要な場合の有無が問われ（ステップＳ２６）、必要（ＹＥＳ）な場合にはプリントがなされる（ステップＳ２８）。更に、このインデックス表示画像の保存が必要な場合の有無が問われ（ステップＳ３０）、必要（ＹＥＳ）な場合にはメモリーへのセーブがなされる（ステップＳ３２）。
【００４５】
以上でこの動画ファイルの編集は終了するが、他の動画ファイルの編集が必要な場合の有無が問われ（ステップＳ３４）、必要、すなわち終了しない（ＮＯ）場合にはフローの最初（ステップＳ１０）に戻って新たな動画ファイルの選択がなされ、不要、すなわち終了する（ＹＥＳ）場合にはプログラムを終了する（ステップＳ９９９）。
【００４６】
以上に説明した動画ファイル編集の処理手順を実施するためのハードウェア及びソフトウェアは、いずれも公知の各種手段を採用することにより実現できるので、ここでは詳細な説明は省略する。たとえば、ハードウェアとしては図１に示したパソコン１が採用でき、ソフトウェアとしては既存の動画ファイルソフト、図形表示ソフト等の組み合わせが採用できる。
【００４７】
次に、静止画に対する処理について説明する。ただし、図５に示される静止画ファイル編集の処理手順を説明するフローチャートは、図４の内容と大半の部分で共通するため、相違点についてのみ説明する。したがって、図５の各ステップＳにおいて、図４と同一・類似のステップについては同様の符合を付してその説明を省略する。なお、図２及び図３の操作画面は、動画に対する処理と共通である。
【００４８】
パソコン１を起動し、静止画表示のプログラムを実行させ、編集を行なう静止画ファイルを選択する（ステップＳ１１）。そして、選択した静止画ファイルをパソコン１のモニタ装置２０に再生表示させ、そのうちで基準となる静止画像を表示させる（ステップＳ１３）。以降は動画ファイルの処理フローと同一となる。
【００４９】
以上、本発明に係る画像編集装置の実施形態の例について説明したが、本発明は上記実施形態の例に限定されるものではなく、各種の態様が採り得る。
【００５０】
たとえば、本実施形態では、図２において、切り取る前の複数の画像を同時にインデックス表示させているが、１枚のみの所定のフレーム画像又は静止画像を表示させることでもよい。たとえば、画像内におけるプレイヤーの移動がないような場合には、１枚のみの画像で切り取るべき矩形部分の指定を行なっても不具合は生じず、操作も容易だからである。
【００５１】
また、図４、図５における処理フローにおいて、インデックス表示（ステップＳ２４）の後にメモリーへのセーブ（ステップＳ３２）がなされているが、インデックス表示せずにメモリーへのセーブを行なうフローも採用できる。たとえば、定型のパターンで画像記録を行なう場合には、このようなフローの方が便宜となる。
【００５２】
更に、本発明に係る画像編集装置は、パソコンに限らず、デジタルカメラ内の画像合成処理機能として追加されたものでもよい。これによれば、装置がよりコンパクトに構成できる。
【００５３】
【発明の効果】
以上説明したように、本発明によれば、一時停止させた動画像中の任意の矩形内の画像を切り取るとともに、このフレーム画像の前及び／又は後の所定数のフレーム画像中の同一矩形内の画像を切り取り、切り取られた画像を同時にインデックス表示させたり、保存させたりできる。これにより、画像中の特定箇所の変化過程を確認するのが極めて容易になる。
【００５４】
また、本発明によれば、所定の静止画像中の任意の矩形内の画像を切り取るととともに、このフレーム画像の前及び／又は後の所定数の静止画像中の同一矩形内の画像を切り取り、切り取られた画像を同時にインデックス表示させたり、保存させたりできる。これにより、画像中の特定箇所の変化過程を確認するのが極めて容易になる。
【図面の簡単な説明】
【図１】本発明に係る画像編集装置としての機能を備えたパソコンのハードウェア構成例を示すブロック図
【図２】本発明に係る画像編集装置におけるモニタ装置の操作画面（インデックス表示されたフレーム画像又は静止画像）を示す図
【図３】本発明に係る画像編集装置におけるモニタ装置の操作画面（切り取られた画像のサイズに応じて配置、インデックス表示された）を示す図
【図４】本発明に係る動画ファイル編集の処理手順を説明するフローチャート
【図５】本発明に係る静止画ファイル編集の処理手順を説明するフローチャート
【符号の説明】
１…パソコン、２…デジタルカメラ、１０…中央処理装置（ＣＰＵ）、１２…主メモリ、１４…ハードディスク装置、１６…ＤＶＤ−Ｒ／ＲＷ装置、２０…モニタ装置、２２…キーボード、２４…マウス、２７…インターフェース、５０…操作画面、７０…操作画面、Ｇ…画像、ｇ…画像、Ｗ…矩形
【図１】
2004080613.tif 000003
【図２】
2004080613.tif 000004
【図３】
2004080613.tif 000005
【図４】
2004080613.tif 000006
【図５】
2004080613.tif 000007